(57)【要約】【課題】  非接触ＩＤカードを用いた画像出力装置の提供を実現する。【解決手段】  非接触ＩＤカードから個人情報識別子を読み取る非接触ＩＤカードリーダ、ジョブの属性を設定するジョブ属性設定手段、前記ジョブ属性を保持するジョブ属性保持手段、非接触ＩＤカードリーダから読み取った個人情報識別子から個人認証を行う個人認証手段を備えた画像形成装置と、個人情報識別子（個人認証ＩＤ）を記憶している非接触ＩＤカードから構成され、個人認証手段による個人認証が完了していない時点で、ジョブ属性設定手段によりジョブ属性の設定が可能で、個人認証手段による個人認証が成功した時点で、ジョブ属性保持手段に保持されたジョブ属性を元にジョブを開始を行う画像出力装置。【選択図】  図３
2006163044.tif 000002
【特許請求の範囲】
【請求項１】
画像出力動作を行う画像出力装置と、個人情報を記憶している記憶媒体と、前記記憶媒体の個人情報を読み取る読み取り手段と、前記画像出力の出力モードを設定するモード設定手段と、前記モード設定を保持するモード設定保持手段と、前記記憶媒体の個人情報を元に認証動作を行う個人認証手段とを備えた画像出力サービスにおいて、
前記読み取り手段によって、個人情報を読み取った時点で、前記モード設定保持手段に保持された前記画像出力の出力モードに基づき、画像出力を開始することを特徴とする画像出力装置。
【請求項２】
請求項１記載の画像出力装置において、
前記読み取り手段によって、個人情報を読み取った時点で前記個人認証手段に基づき、画像出力の可否を判断する判断手段をもつことを特徴とする画像出力装置。
【請求項３】
画像出力動作を行う画像出力手段と、個人情報を記憶している記憶媒体と、前記記憶媒体の個人情報を読み取る読み取り手段と、前記画像出力の出力モードを設定するモード設定手段と、前記モード設定を保持するモード設定保持手段と、前記モード設定手段によるモード設定を確定させるモード設定確定手段と、前記記憶媒体の個人情報を元に認証動作を行う個人認証手段とを備えた画像出力装置において、
前記読み取り手段によって、個人情報を読み取った時点で、前記モード設定保持手段に保持された前記画像出力の出力モードに基づき、画像出力を開始することを特徴とする画像出力装置。
【請求項４】
請求項３記載の画像出力装置において、
前記読み取り手段によって、個人情報を読み取った時点で前記個人認証手段に基づき、画像出力の可否を判断する判断手段をもつことを特徴とする画像出力装置。
【請求項５】
画像出力動作を行う画像出力装置と、個人情報を記憶している記憶媒体と、前記記憶媒体の個人情報を読み取る読み取り手段と、前記画像出力の出力モードを設定するモード設定手段と、前記モード設定を保持するモード設定保持手段と、前記記憶媒体の個人情報を元に認証動作を行う個人認証手段とを備えた画像出力サービスにおいて、
前記読み取り手段によって、個人情報を読み取った時点で、前記モード設定保持手段に保持された前記画像出力の出力モードに基づき、画像出力を開始することを特徴とする画像出力制御方法。
【請求項６】
請求項５記載の画像出力装置において、
前記読み取り手段によって、個人情報を読み取った時点で前記個人認証手段に基づき、画像出力の可否を判断する判断手段をもつことを特徴とする画像出力制御方法。
【請求項７】
画像出力動作を行う画像出力装置と、個人情報を記憶している記憶媒体と、前記記憶媒体の個人情報を読み取る読み取り手段と、前記画像出力の出力モードを設定するモード設定手段と、前記モード設定を保持するモード設定保持手段と、前記モード設定手段によるモード設定を確定させるモード設定確定手段と、前記記憶媒体の個人情報を元に認証動作を行う個人認証手段とを備えた画像出力サービスにおいて、
前記読み取り手段によって、個人情報を読み取った時点で、前記モード設定保持手段に保持された前記画像出力の出力モードに基づき、画像出力を開始することを特徴とする画像出力制御方法。
【請求項８】
請求項７記載の画像出力装置において、
前記読み取り手段によって、個人情報を読み取った時点で前記個人認証手段に基づき、画像出力の可否を判断する判断手段をもつことを特徴とする画像出力制御方法。
【請求項９】
請求項５から８のいずれかに記載の画像出力制御方法をコンピュータに実行させるためのプログラムを記憶したコンピュータが読み取り可能な記録媒体。
【請求項１０】
請求項５から８のいずれかに記載の画像出力サービスの課金制御方法を、コンピュータに実行させるためのプログラム。
【発明の詳細な説明】
【技術分野】
【０００１】
本発明はＲＦＩＤを用いた非接触型ＩＤカードによる個人認証を行うコピー機、プリント装置、スキャナ装置やコンピュータ等の情報処理装置を用いた情報処理サービスシステム、情報格納装置、承認装置、情報処理装置、情報処理サービス方法および記録媒体に関する。
【背景技術】
【０００２】
複数のユーザによって共有して使用される、たとえば複写機などの機器においては、個人やあるグループ（部署など）の単位でユーザを機器に登録し、そのユーザ単位に機器の使用可不可を制限する制御機能、あるいはプリントアウト可能な上限枚数に制限を書ける制御機能を備えることがある。
【０００３】
複写機やプリンタは動作に伴って紙やトナー、インクなどの消耗品を消費するため、正当なユーザにのみ機器の使用を許し、同時に無駄な動作を削減し、機器の運用コストを削減することができ、機器の運用上非常に有効である。
【０００４】
従来、このような機能を実現するためには、機器本体にあらかじめユーザＩＤを登録し、そのユーザＩＤを書き込んだ不揮発性記憶メディア（磁気カード、光磁気カード）が聞きに装着された場合に、機器を使用可能とする制御を行うことが行われている。
【０００５】
たとえば、ユーザＩＤを書き込んだＩＤカードを複写機やプリンタに装着された際に、機器の使用可能とする制御をすると同時に、画像形成装置にユーザＩＤごとの初期画面を管理するテーブルを設け、ＩＤカードが複写機やプリンタに装着された際に、複写機に備えられた操作部のユーザーインターフェースの画面を切り替えるという提案がなされている（例えば、特許文献１参照）。
【０００６】
さらには、あらかじめユーザが、プリンタへユーザＩＤと画像データを含むジョブを送信し、プリンタはジョブを受け付けても印刷をすぐには開始せず待機状態となり、そのユーザＩＤと一致するＩＤカードをプリンタに装着した際に、初めて個人認証を行い、印刷を開始するという制御方法も提案されている（例えば、特許文献２参照）。
【０００７】
このようにＩＤカードを用いた個人認証を行い複写機やプリンタの使用の可不可を制限する制御方法は従来では一般的な技術となっている。
【０００８】
一方、近年ではＲＦＩＤやブルートゥースといったように、機器とカードを接触させなくても、非接触状態で通信を行う技術も登場している。
【０００９】
たとえば特許文献３では自動改札装置および生産システムのように交通機関の切符や定期券を非接触ＩＤカードに置き換えた清算システムを提案しているし、特許文献４の自動販売機のように清涼飲料を発売する自動販売機での非接触ＩＤカードでの清算システムも提案されている。
【００１０】
また非接触ＩＤカードを用いて個人認証を複写機やプリンタなどの画像形成装置に応用した例も挙げられる（例えば、特許文献５）。
【特許文献１】特開平１０−７９８１９号公報
【特許文献２】特開２００２−２４０３９８号公報
【特許文献３】特開平１０−９１８２３号公報
【特許文献４】特開２００３―２２８７５０号公報
【特許文献５】特開２００２−１３２７２６号公報
【発明の開示】
【発明が解決しようとする課題】
【００１１】
しかしながら、従来の接触型ＩＤカードを用いた個人認証を行う画像形成装置に、そのまま非接触ＩＤカードを用いた個人認証を適用すると以下のような問題が発生する。
【００１２】
従来の接触型ＩＤカードを用いた個人認証では、複写機やプリンタなどの画像形成装置に接触型ＩＤカードを装着している間に投入されたジョブは、そのＩＤカード内のユーザＩＤに一致するユーザが投入したジョブとして識別することができた。そして、その情報を元に、ユーザ毎に印刷の可不可、プリントの上限枚数を管理することができた。
【００１３】
従来の接触型ＩＤカードを用いた個人認証では一般的に図６のような制御フローを画像形成装置は行う。
【００１４】
図６は画像形成装置制御部１５の制御手順を示すフローチャートであり、接触型ＩＤカードを用いた従来の個人認証の制御手順である。
【００１５】
先ず、ステップＳ６００は画像形成装置１５０が待機状態であることを示す。待機状態である画像形成装置１５０は操作部６５０上のＬＣＤタッチパネル６００に図５の画面５００を表示し、これからコピーなどのサービスを利用するユーザに接触型ＩＤカードを装着してコピーサービスを利用するよう促す。
【００１６】
次にステップＳ６０１では、ステップＳ６００で図５の画面５００を表示した結果、ユーザが接触型ＩＤカードを装着したことを画像形成装置１５０は検知する。
【００１７】
次にステップＳ６０２では、ステップＳ６０１でユーザが装着した接触型ＩＤカードからユーザＩＤ（個人情報識別子）を読み取る。
【００１８】
次にステップＳ６０３では、ステップＳ６０２で読み取ったユーザＩＤから、このユーザＩＤが画像形成装置１５０を利用できるユーザかの判断（個人認証）を画像形成装置制御部１５は行う。個人認証の結果、認証ＯＫの場合にはステップＳ６０４へ、認証ＮＧの場合にはステップＳ６０９へ進む。
【００１９】
次にステップＳ６０４では、ステップＳ６０３で画像形成装置制御部１５が個人認証を行った結果、認証ＯＫだったため、このユーザは画像形成装置１５０を利用できることから、操作部６５０上のＬＣＤタッチパネル６００に図５の画面５３０のコピー標準画面を表示する。そして、ユーザにこれから投入するジョブの属性の入力を促す。
【００２０】
次にステップＳ６０９では、ステップＳ６０３で画像形成装置制御部１５が個人認証を行った結果、認証ＮＧだったため、このユーザは画像形成装置１５０を利用できないと判断でき、操作部６５０上のＬＣＤタッチパネル６００に図５の画面５１０の「不正なカードです」画面を表示し、ユーザに警告し、ある一定期間「不正なカードです」画面５１０を表示した後に、ステップＳ６００へ戻り、「カードを装着してください」画面５００を表示する。
【００２１】
次にステップＳ６０５では、ステップＳ６０４でユーザにジョブの属性の入力を促した結果、ユーザは図１０に示したコピー標準画面の各種ジョブ属性設定キー１３００１−１３０１３を使って、ジョブの属性を画像形成装置１５０に設定する。
【００２２】
次にステップＳ６０６では、ステップＳ６０１でユーザが装着した接触型ＩＤカードが装着されたままかの判断を行う。カードが装着されたままの場合にはステップＳ６０７へ進み、カードが抜かれた場合にはステップＳ６００に戻り、「カードを装着してください」画面を操作部６５０上のＬＣＤタッチパネル６００に表示し、ユーザに接触型ＩＤカードを装着するよう促す。
【００２３】
次にステップＳ６０７では、画像形成装置１５０の操作部６５０上のスタートボタン６０７が押下されたかの判断を画像形成装置制御部１５は行う。スタートボタン６０７が押下された場合にはステップＳ６０８へ、まだスタートボタン６０７が押下されていない場合にはステップＳ６０５に戻り、操作部６５０上のＬＣＤタッチパネル６００に表示された図１０のコピー標準画面を利用して、ユーザにこれから投入するジョブの属性の入力を促す。
【００２４】
次にステップＳ６０８では、先のステップＳ６０７によって操作部６５０上のスタートボタン６０７が押下されたことから、ステップＳ６０５でユーザが入力したジョブ属性を元にジョブを開始し、スキャナ部１００、プリンタ部２００の動作を開始し、印字動作を行う。そして、ステップＳ６０４へ戻り、継続してユーザがジョブを投入するか待機する。もしユーザはジョブを投入する場合には、ステップＳ６０５、ステップＳ６０６、ステップＳ６０７、ステップＳ６０８を繰り返す。ユーザはジョブを投入せずに終了する場合には、カードを抜き、ステップＳ６０６でＩＤカードが抜かれたことを検知し、ステップＳ６００へ戻る。
【００２５】
つまり接触型ＩＤカードが装着された間に投入されたジョブはそのＩＤカードの所有者が投入したジョブとみなすことができた。これを非接触ＩＤカードに適用した場合には以下のような操作フローとなる。
【００２６】
図７は画像形成装置制御部１５の制御手順を示すフローチャートであり、非接触型ＩＤカードを用いた従来の個人認証の制御手順である。
【００２７】
先ず、ステップＳ７００は画像形成装置１５０が待機状態であることを示す。待機状態である画像形成装置１５０は操作部６５０上のＬＣＤタッチパネル６００に図５の画面５２０「カードを近づけてください」画面を表示し、これからコピーなどのサービスを利用するユーザに非接触型ＩＤカード３５０を非接触ＩＤカードリーダ３０１に近づけ、個人認証を行ってコピーサービスを利用するよう促す。
【００２８】
次にステップＳ７０１では、ステップＳ７００で図５の画面５２０を表示した結果、ユーザが非接触型ＩＤカードを非接触型ＩＤカードリーダ３０１へ近づけたことを画像形成装置制御部１５は検知する。
【００２９】
次にステップＳ７０２では、ステップＳ７０１でユーザが近づけた非接触ＩＤカードからユーザＩＤ（個人情報識別子）を読み取る。画像形成装置制御部１５は読み取ったユーザＩＤを画像形成装置制御部内のＲＡＭ４などに格納する。
【００３０】
次にステップＳ７０３では、ステップＳ７０２で読み取ったユーザＩＤから、このユーザＩＤが画像形成装置１５０を利用できるユーザかの判断（個人認証）を画像形成装置制御部１５は行う。個人認証の結果、認証ＯＫの場合にはステップＳ７０４へ、認証ＮＧの場合にはステップＳ７０９へ進む。
【００３１】
次にステップＳ７０４では、ステップＳ７０３で画像形成装置制御部１５が個人認証を行った結果、認証ＯＫだったため、このユーザは画像形成装置１５０を利用できることから、操作部６５０上のＬＣＤタッチパネル６００に図５の画面５３０のコピー標準画面を表示する。そして、ユーザにこれから投入するジョブの属性の入力を促す。
【００３２】
次にステップＳ７０９では、ステップＳ７０３で画像形成装置制御部１５が個人認証を行った結果、認証ＮＧだったため、このユーザは画像形成装置１５０を利用できないと判断でき、操作部６５０上のＬＣＤタッチパネル６００に図５の画面５１０の「不正なカードです」画面を表示し、ユーザに警告する。そしてその時点でステップＳ７０２で格納した画像形成装置制御部１５内のＲＡＭ４に保持したユーザＩＤを破棄する。そして、ある一定期間「不正なカードです」画面５１０を表示した後に、ステップＳ７００へ戻り、「カードを近づけてください」画面５２０を表示する。
【００３３】
次にステップＳ７０５では、ステップＳ７０４でユーザにジョブの属性の入力を促した結果、ユーザは図１０に示したコピー標準画面の各種ジョブ属性設定キー１３００１−１３０１３を使って、ジョブの属性を画像形成装置１５０に設定する。
【００３４】
次にステップＳ７０６では、ある一定時間経過したか（タイムアウト）かの判断を行う。ある一定時間の開始時点はステップＳ７０３の個人認証を行った時点か、もしくはステップＳ７０４で「コピーできます」画面５３０時点でも良いし、ステップＳ７０５でユーザがジョブ属性を入力した時点でもかまわない。なんにせよ、ある一定時間が経過した時点で、ステップＳ６０２で画像形成装置制御部１５内のＲＡＭ４に保持したユーザＩＤを破棄し、ステップＳ７００に戻り、「カードを近づけてください」画面５２０を操作部６５０上のＬＣＤタッチパネル６００に表示し、ユーザに非接触ＩＤカード３５０を非接触型カードリーダ３０１へ近づけるよう促す。
【００３５】
次にステップＳ７０７では、画像形成装置１５０の操作部６５０上のスタートボタン６０７が押下されたかの判断を画像形成装置制御部１５は行う。スタートボタン６０７が押下された場合にはステップＳ７０８へ、まだスタートボタン６０７が押下されていない場合にはステップＳ７０５に戻り、操作部６５０上のＬＣＤタッチパネル６００に表示された図１０のコピー標準画面を利用して、ユーザにこれから投入するジョブの属性の入力を促す。
【００３６】
次にステップＳ７０８では、先のステップＳ７０７によって操作部６５０上のスタートボタン６０７が押下されたことから、ステップＳ７０５でユーザが入力したジョブ属性を元にジョブを開始し、スキャナ部１００、プリンタ部２００の動作を開始し、印字動作を行う。そして、ステップＳ７０４へ戻り、継続してユーザがジョブを投入するか待機する。もしユーザはジョブを投入する場合には、ステップＳ７０５、ステップＳ７０６、ステップＳ７０７、ステップＳ７０８を繰り返す。ユーザはジョブを投入せずに終了する場合には、ステップＳ７０６でのタイムアウトを待ち、タイムアウト発生後、ステップＳ７００へ戻る。
【００３７】
このように非接触型ＩＤカードは常時カードリーダに接触しているわけではないため、接触型ＩＤカードのように、接触している間に投入されたジョブがそのＩＤカードの所有者が投入したジョブと識別することができない。そのために、非接触型ＩＤカードが接触されたときカードリーダが読み取った内容をある一定時間保持し、その保持した間に投入されたジョブは非接触ＩＤカードの所有者が投入したジョブと識別することになる。しかし、この方法では、ユーザがジョブを投入する前に一致時間が経過し、非接触ＩＤカードの内容を破棄し、ユーザがジョブを投入できないといった不具合が生じる可能性がある。更に、非接触ＩＤカードの内容を破棄される前に、その非接触ＩＤカードの所有者とは別のユーザがジョブを投入するといった危険性もある。
【００３８】
この問題を解決するために特開２００２−２４５５１９では非接触ＩＤカード取引装置では非接触ＩＤカードを読み書きする通信中に誤って非接触ＩＤカードを取り除かれないように、通信中には非接触ＩＤカードを物理的に取り除けないように、カバーを設けた発明が提案されている。しかし物理的にカバーを設けることはコスト面また非接触ＩＤカードの利便性が損なわれるという点で好ましくない。特に携帯電話に非接触ＩＤカードの機能も付加された場合には、このような仕様では、非接触ＩＤカードと非接触ＩＤカードリーダの通信中に携帯電話が着信した場合には、携帯電話が利用できないということが発生し、非常に好ましくない。
【課題を解決するための手段】
【００３９】
上記課題を解決するため、本発明は以下の画像出力制御方法を提案する
非接触ＩＤカードから個人情報識別子を読み取る非接触ＩＤカードリーダ、ジョブの属性を設定するジョブ属性設定手段、前記ジョブ属性を保持するジョブ属性保持手段、非接触ＩＤカードリーダから読み取った個人情報識別子から個人認証を行う個人認証手段を備えた画像形成装置と、個人情報識別子（個人認証ＩＤ）を記憶している非接触ＩＤカードから構成され、個人認証手段による個人認証が完了していない時点で、ジョブ属性設定手段によりジョブ属性の設定が可能で、個人認証手段による個人認証が成功した時点で、ジョブ属性保持手段に保持されたジョブ属性を元にジョブを開始を行う画像出力装置を提案する。
【発明の効果】
【００４０】
本発明によると、非接触ＩＤカードを用いて個人認証を誤ることなくジョブを投入することが可能となる。
【発明を実施するための最良の形態】
【００４１】
以下、本発明の実施の形態を図面を参照して説明する。
【００４２】
図１は第１の実施の形態に係る画像形成装置の全体構成を示す図である。図を参照して、画像形成装置は大きくは画像形成装置本体１５０と非接触ＩＤカードスキャナ部３００から構成されている。画像形成装置本体１５０はスキャナ部１００とプリント部２００から構成され、画像形成装置本体１５０内の制御部１５によって制御されている。また非接触ＩＤカードスキャナ部３００は非接触ＩＤカード３５０の内容を読み取る非接触ＩＤカードリーダ３０１を備えており、非接触ＩＤカードリーダ３０１に非接触ＩＤカードを近傍させることによって、非接触ＩＤカード３５０内のユーザＩＤ（個人情報識別子）３５１などの内容を読み取ることが可能である。また非接触ＩＤカードスキャナ部３００と画像形成装置本体１５０は画像形成装置１５０に取り付けられている非接触ＩＤカードリーダＩ／Ｆ３１０とケーブルによって接続され、通信処理を行っている。
【００４３】
図２は第１の実施の形態に係る画像形成のスキャナ部１００及びプリンタ部２００の各機構部の構成を示す断面図である。
【００４４】
スキャナ部１００の原稿給送ユニット１０１は原稿を先頭順に1枚ずつプラテンガラス１０２上へ給送し、原稿の読み取り動作終了後、プラテンガラス１０２上の原稿を排出トレイ１０３に排出するものである。原稿がプラテンガラス１０２上に搬送されると、ランプ１０４を点灯し、そして光学ユニット１０５の移動を開始させて、原稿を露光走査する。この時の原稿からの反射光は、ミラー１０６，１０７，１０８及びレンズ１０９によってＣＣＤイメージセンサ(以下ＣＣＤという)１１０へ導かれる。このように、走査された原稿の画像はＣＣＤ１１０によって読み取られる。ＣＣＤ１１０から出力される画像データは、所定の処理が施された後、プリンタ部２及び画像形成制御部１５へ転送される。
【００４５】
プリンタ部２００各部の構成を動作と共に詳述すると、プリンタ部２００のレーザドライバ２２１は、レーザ発光部２０１を駆動するものであり、画像形成制御部１５から出力された画像データに応じたレーザ光をレーザ発光部２０１に発光させる。該レーザ光は感光ドラム２０２に照射され、感光ドラム２０２にはレーザ光に応じた潜像が形成される。該感光ドラム２０２に形成された潜像の部分には、現像器２０３によって現像剤が付着される。
【００４６】
プリンタ部は用紙格納部として、それぞれ引き出し上の形状をしたカセット２０４、カセット２０５、カセット２０６、カセット２０７、そして、機外に露出しているトレイ上の手差し給紙段２０８を備えている。従来では手差し給紙段２０８を除き、カセットを引き出し、そのカセットに用紙を補給し、カセットを閉めることによって用紙補給を行っている。
【００４７】
そして、レーザ光の照射開始と同期したタイミングで、カセット２０４、カセット２０５、カセット２０６、カセット２０７、手差し給紙段２０８のいずれかから記録紙を給紙し、転写部２０９へ搬送路２１０によって、感光ドラム２０２に付着された現像剤を記録紙に転写する。現像剤の載った記録紙は搬送ベルト２１１によって、定着部２１２に搬送され、定着部２１２の熱と圧力により現像剤は記像紙に定着される。その後、定着部２１２を通過した記録紙は搬送路２１３、搬送路２１４を通り、排出される。あるいは、印字面を反転して排出する場合には、搬送路２１５、搬送路２１６まで導かれ、そこから記録紙を逆方向に搬送し、搬送路２１７、搬送路２１４を通る。
【００４８】
また、両面記録が設定されている場合は、定着部２１２を通過したあと、搬送路２１５からフラッパ２１８によって、搬送路２１９に記録紙は導かれ、その後記録紙を逆方向に搬送し、フラッパ２１８によって、搬送路２１６、再給紙搬送路２１９へ導かれる。再給紙搬送路２１９へ導かれた記録紙は上述したタイミングで搬送路２１０を通り、転写部２０９へ給紙される。そして、搬送路２１４より排出された記録紙は排出ビン２２０へ搬送され積載される。
【００４９】
図３は画像形成装置の画像形成装置制御部１５の構成を示すブロック図である。図３に示すように画像形成装置制御部１５はＣＰＵ１、ＲＯＭ３、ＲＡＭ４、非接触ＩＤカードリーダコントローラ３０、ネットワークコントローラ５０、スキャナコントローラ１０、プリンタコントローラ２０、操作部コントローラ６０、ＨＤＤコントローラ４０を有し、それぞれシステムバス２によって接続されている。ＣＰＵ１は画像形成装置制御部１５全体の動作を制御するものであり、ＣＰＵ１はＲＯＭ３から読み込んだプログラムに基づいて動作する。ＲＡＭ４はＣＰＵ１が動作するためのワークエリアや、画像データを蓄積するためのエリアとして使用される。非接触ＩＤカードリーダコントローラ３０は図１で図示した非接触ＩＤカードリーダＩ／Ｆ３１０を経由して非接触ＩＤカードスキャナ部３００と接続され、シリアル通信を行いユーザＩＤ（個人情報識別子）などの情報のやり取りを行う。
【００５０】
ネットワークコントローラ５０はネットワークを制御するためのコントローラであり、外部ネットワークと接続されている。外部ネットワークにはＰＣ／ＷＳ２０といった外部コンピュータと接続され、画像形成装置本体１５０とデータの通信を行う。
【００５１】
スキャナコントローラ１０はスキャナ部１００と接続され、また、システムバス２によってＣＰＵ１と接続されており、スキャナ部１００から受け取った画像を、その後の過程における処理の内容によって、最適な２値化を行ったり、主走査・副走査の変倍処理を行ったりする機能を有し、さらに、スキャナ部１００から送られたビデオ制御信号をもとに生成した制御信号を、システムバス２に出力する機能も有する。
【００５２】
プリンタコントローラ２０はプリンタ部２００と接続され、また、システムバス２によってＣＰＵ１と接続されており、ＣＰＵ１から出力された画像データにスムージング処理をして、プリンタ部２００へ出力する機能を有し、さらに、プリンタ部２００から送られたビデオ制御信号をもとに生成した制御信号を、システムバス２に出力する機能も有する。
【００５３】
操作部コントローラ６０は、操作部６５０と接続されている。操作部６５０は液晶表示部と液晶表示部上に張り付けられたタッチパネル入力装置と、複数個のハードキーを有する。タッチパネルまたはハードキーにより入力された信号は操作部コントローラ６０を介してＣＰＵ１に伝えられ、液晶表示部は操作部コントローラ６０から送られてきた画像データを表示するものである。液晶表示部には、本画像形成装置の操作における機能表示や画像データ等を表示する。
【００５４】
ＨＤＤコントローラ４０はハードディスク４００と接続されており、プログラムや画像データを書き込んだり読み込んだりすることができる。
【００５５】
続いて図４を用いて操作部６５０について説明する。
【００５６】
６００はＬＣＤタッチパネルであり、主なモード設定、状況表示はここで行われる。６０１は０〜９までの数値を入力するためのテンキーである。６０２はＩＤキーであり、装置が部門管理されている場合に部門番号と暗礁モードを入力する際に使用されるものである。
【００５７】
６０３は設定されたモードをリセットするためのリセットキー、６０４は各モードについての説明画面を表示するためのガイドキー、６０５はユーザーモード画面に入るためのユーザーモードキー、６０６は割り込みコピーを行うための割り込みキーになっている。
【００５８】
６０７はコピー動作をスタートさせるためのスタートキー、６０８は実行中のコピージョブを中止させるためのストップキーである。
【００５９】
６０９はソフト電源ＳＷであり、押下することによりＬＣＤ６００のバックライトが消え装置は低電力状態に落ちる。６１０は節電キーであり、これを押下することで節電状態に入り、再度押下することで節電状態から復帰する。
【００６０】
６１４はＬＣＤタッチパネルのコントラストを調整するための調整キーである。
【００６１】
６１５はカウンタ確認キーであり、このキーを押下することでそれまでに仕様したコピー枚数の集計を表示するカウント画面がＬＣＤ上に表示される。
【００６２】
６１６はジョブの実行中、画像メモリへの画像蓄積中を示すＬＥＤ、６１７がジャム、ドアオープン等装置がエラー状態にあることを示すエラーＬＥＤ、６１８は装置のメインスイッチがＯＮになっていることを示す電源ＬＥＤになっている。
【００６３】
図５は画像形成装置１５０の操作部６５０のＬＣＤタッチパネル６００に表示される画面を図示したものである。
【００６４】
画面５００はユーザに接触型ＩＤカードの装着を促すメッセージ「カードを装着してください」と表示し、接触型ＩＤカード装着待機状態時に表示する画面である。
【００６５】
画面５１０は個人認証に失敗するような不正なＩＤカードをユーザが装着、あるいは接触させた場合に表示する画面であり、「不正なカードです」と警告メッセージが表示される。
【００６６】
画面５２０はユーザに非接触型ＩＤカード３５０を非接触ＩＤカードリーダ３０１に近づけることを促すメッセージ「カードを近づけてください」と表示し、ユーザが非接触ＩＤカード３５０を非接触ＩＤカードリーダ３０１が読み取れる位置まで近づけるのを待っている状態で表示する画面である。
【００６７】
画面５３０は「コピーできます」とメッセージを表示し、ユーザにジョブの属性の入力を促す画面である。ユーザはこの画面からスキャナ部１００で読み取った画像の拡大縮小を指示してプリンタ部２００で印刷する設定を行ったり、プリンタ部２００にある給紙部２０４−２０８のどれから記録紙の給紙を行うかの設定を行ったり、プリンタ部２００で片面印字か両面印字を行うかの設定といったジョブの属性を入力することができる。
【００６８】
それらジョブ属性の入力画面の説明を、図１０を用いて行う。
【００６９】
図１０はジョブ属性の入力が行えるコピー標準画面（図５、５３０と等価）を図示したものである。
【００７０】
コピー標準画面にはジョブ属性を入力するためのいくつかのボタンが存在する。
【００７１】
たとえば、読み取る原稿の倍率を設定する倍率ボタン（１３００２）、その倍率ボタンで変更した倍率を等倍に戻す等倍ボタン（１３００１）、読み取った原稿の画像を図２に示す各種給紙段（２０４―２０８）のどの用紙に印字するかを選択する用紙選択ボタン（１３００７）、ステイプルやシフトなどのソートのタイプを設定するソート設定ボタン（１３００３）、原稿を片面あるいは両面で読み取るか、もしくは図２で示したプリンタ部３００で片面印字を行うか、両面印字を行うかを設定する両面設定ボタン（１３００５）、コピー動作中に、他のコピーを割り込ませる割込みボタン（１３００４）、濃度を設定する濃度設定ボタン（１３００９、１３０１０、１３０１１）、画質を選択する画質設定ボタン（１３０１２）、各種応用的な設定を行うためのダイアログを開くための応用モードボタン（１３０１３）などが存在する。
【００７２】
中でも読み取った原稿の画像を図２に示す各種給紙段（２０４−２０８）のどの用紙に印字するかを選択する用紙選択ボタン（１３００７）によって、現在どの給紙段（２０４−２０８）から給紙するかを示すために現在の設定をしめす。表示部１３００６が存在する。現在１３００６は「自動用紙」と表示されており、ユーザがあらかじめどの給紙段（２０４−２０８）から給紙するのかを指示するのではなく、読み取った原稿の用紙サイズから、自動的にどの給紙段から給紙するかを画像形成装置制御部１５が判断するモードであることを示している。
【００７３】
また読み取った原稿を何枚に複製するのかを示す置数表示部１３００８も存在する。この置数の設定は、図４のテンキー６０１によって入力される。
【００７４】
図８は画像形成装置制御部１５の制御手順を示すフローチャートであり、本発明の非接触型ＩＤカードを用いた従来の個人認証の制御手順、例１である。
【００７５】
先ず、ステップＳ８００では、操作部６５０上のＬＣＤタッチパネル６００に図５の画面５３０のコピー標準画面を表示する。そして、ユーザにこれから投入するジョブの属性の入力を促す。
【００７６】
次にステップＳ８０１では、ステップＳ８００でユーザにジョブの属性の入力を促した結果、ユーザは図１０に示したコピー標準画面の各種ジョブ属性設定キー１３００１−１３０１３を使って、ジョブの属性を画像形成装置１５０に設定する。
【００７７】
次にステップＳ８０２では、ユーザが持っている非接触ＩＤカード３５０が非接触ＩＤカードリーダ３０１に近づき、非接触ＩＤカード３５０の内容を読み取れるか否かを判断する。非接触ＩＤカード３５０が非接触ＩＤカードリーダ３０１に近づき、内容が読み取れる状態の場合にはステップＳ８０３へ進み、非接触ＩＤカード３５０が非接触ＩＤカードリーダ３０１から離れて、内容が読み取れない場合にはステップＳ８０１へ戻り、ジョブの属性の入力を継続して行う。
【００７８】
次にステップＳ８０３では、ステップＳ８０２でユーザ所有の非接触ＩＤカード３５０からユーザＩＤ（個人情報識別子）を読み取る。
【００７９】
次にステップＳ８０４では、ステップＳ８０３で読み取ったユーザＩＤから、このユーザＩＤが画像形成装置１５０を利用できるユーザかの判断（個人認証）を画像形成装置制御部１５は行う。個人認証の結果、認証ＯＫの場合にはステップＳ８０５へ、認証ＮＧの場合にはステップＳ８０６へ進む。
【００８０】
次にステップＳ８０５では、ステップＳ８０４で画像形成装置制御部１５が個人認証を行った結果、認証ＯＫだったため、このユーザは画像形成装置１５０を利用できるため、ステップＳ８０１でユーザが入力したジョブ属性を元にジョブを開始し、スキャナ部１００、プリンタ部２００の動作を開始し、印字動作を行う。そして、ステップＳ８００へ戻り、継続してユーザがジョブを投入するか待機する。もしユーザがジョブを続けて投入する場合にはステップＳ８０１、ステップＳ８０２、ステップＳ８０３、ステップＳ８０４、ステップＳ８０５を繰り返す。ユーザがジョブを投入せずに終了する場合には、ステップＳ８００のまま画像形成装置制御部１５は待機状態となる。
【００８１】
次にステップＳ８０６では、ステップＳ８０４で画像形成装置制御部１５が個人認証を行った結果、認証ＮＧだったため、このユーザは画像形成装置１５０を利用できないと判断でき、操作部６５０上のＬＣＤタッチパネル６００に図５の画面５１０の「不正なカードでｓ」画面を表示し、ユーザに警告し、ある一定時間「不正なカードです」画面５１０を表示した後に、ステップＳ８００へ戻り、「コピーできます」（コピー標準画面）画面５３０を表示し、画像形成装置制御部１５は待機状態となる。
【００８２】
図９は画像形成装置制御部１５の制御手順を示すフローチャートであり、本発明の非接触型ＩＤカードを用いた従来の個人認証の制御手順、例２である。
【００８３】
先ず、ステップＳ９００では、操作部６５０上のＬＣＤタッチパネル６００に図５の画面５３０のコピー標準画面を表示する。そして、ユーザにこれから投入するジョブの属性の入力を促す。
【００８４】
次にステップＳ９０１では、ステップＳ９００でユーザにジョブの属性の入力を促した結果、ユーザは図１０に示したコピー標準画面の各種ジョブ属性設定キー１３００１−１３０１３を使って、ジョブの属性を画像形成装置１５０に設定する。
【００８５】
次にステップＳ９０２では、画像形成装置１５０の操作部６５０上のスタートボタン６０７が押下されたかの判断を画像形成装置制御部１５は行う。スタートボタン６０７が押下された場合にはステップＳ９０３へ、まだスタートボタン６０７が押下されていない場合にはステップＳ９０１に戻り、操作部６５０上のＬＣＤタッチパネル６００に表示された図１０のコピー標準画面を利用して、ユーザにこれから投入するジョブの属性の入力を促す。
【００８６】
次にステップＳ９０３では、画像形成装置１５０の操作部６５０上のＬＣＤタッチパネル６００に図５の画面５２０「カードを近づけてください」画面を表示し、これからコピーなどのサービスを利用するユーザに非接触型ＩＤカード３５０を非接触ＩＤカードリーダ３０１に近づけ、個人認証を行ってコピーサービスを利用するよう促す。
【００８７】
次にステップＳ９０４では、ユーザが持っている非接触ＩＤカード３５０が非接触ＩＤカードリーダ３０１に近づき、非接触ＩＤカード３５０の内容を読み取れるか否かを判断する。非接触ＩＤカード３５０が非接触ＩＤカードリーダ３０１に近づき、内容が読み取れる状態の場合にはステップＳ９０５へ進み、非接触ＩＤカード３５０が非接触ＩＤカードリーダ３０１から離れて、内容が読み取れない場合にはステップＳ９０３へ戻り、ユーザが非接触ＩＤカード３５０を非接触ＩＤカードリーダ３０１へ近づけるのを待つ。
【００８８】
次にステップＳ９０５では、ステップＳ９０４でユーザ所有の非接触ＩＤカード３５０からユーザＩＤ（個人情報識別子）を読み取る。
【００８９】
次にステップＳ９０６では、ステップＳ９０５で読み取ったユーザＩＤから、このユーザＩＤが画像形成装置１５０を利用できるユーザかの判断（個人認証）を画像形成装置制御部１５は行う。個人認証の結果、認証ＯＫの場合にはステップＳ９０７へ、認証ＮＧの場合にはステップＳ９０８へ進む。
【００９０】
次にステップＳ９０７では、ステップＳ９０６で画像形成装置制御部１５が個人認証を行った結果、認証ＯＫだったため、このユーザは画像形成装置１５０を利用できるため、ステップＳ９０１でユーザが入力したジョブ属性を元にジョブを開始し、スキャナ部１００、プリンタ部２００の動作を開始し、印字動作を行う。そして、ステップＳ９００へ戻り、継続してユーザがジョブを投入するか待機する。もしユーザがジョブを続けて投入する場合にはステップＳ９０１、ステップＳ９０２、ステップＳ９０３、ステップＳ９０４、ステップＳ９０５、ステップＳ９０６、ステップＳ９０７を繰り返す。ユーザがジョブを投入せずに終了する場合には、ステップＳ９００のまま画像形成装置制御部１５は待機状態となる。
【００９１】
次にステップＳ９０８では、ステップＳ９０６で画像形成装置制御部１５が個人認証を行った結果、認証ＮＧだったため、このユーザは画像形成装置１５０を利用できないと判断でき、操作部６５０上のＬＣＤタッチパネル６００に図５の画面５１０の「不正なカードです」画面を表示し、ユーザに警告し、ある一定時間「不正なカードです」画面５１０を表示した後に、ステップＳ９００へ戻り、「コピーできます」（コピー標準画面）画面５３０を表示し、画像形成装置制御部１５は待機状態となる。
【００９２】
以上の画像形成装置制御部１５の制御方法により、非接触ＩＤカードを用いて個人認証を誤ることなくジョブを投入することが可能となる。
【００９３】
なお、本発明は、前述した実施形態の機能（図６、図７、図８に示すフロー）を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読み出し実行することによっても達成され得る。
【００９４】
この場合、記憶媒体から読み出されたプログラムコード自体が前述した実施形態の機能を実現することになり、そのプログラムコードを記憶した記憶媒体は本発明を構成することになる。
【００９５】
プログラムコードを供給するための記憶媒体としては、例えば、フロッピディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭなどを用いることができる。
【図面の簡単な説明】
【００９６】
【図１】本発明の画像形成装置の全体構成を示す全体図である。
【図２】本発明の画像形成装置のスキャナ部及びプリンタ部の各機構部の構成を示す概略断面図である。
【図３】本発明の画像形成装置の制御部１５の構成を示すブロック図である。
【図４】本発明の画像形成装置の操作部の構成を示す説明図である。
【図５】本発明の画像形成装置の操作部６５０上のＬＣＤタッチパネル６００に表示する画面図である。
【図６】従来の接触型ＩＤカードを用いた画像形成装置の画像形成装置制御部１５の制御方法を示すフローチャートである。
【図７】従来の非接触ＩＤカードを用いた画像形成装置の画像形成装置制御部１５の制御方法を示すフローチャートである。
【図８】本発明の画像形成装置の画像形成装置制御部１５の制御方法を示すフローチャート例１である。
【図９】本発明の画像形成装置の画像制御装置制御部１５の制御方法を示すフローチャート例２である。
【図１０】本発明の画像形成装置の操作部６５０上のＬＣＤタッチパネル６００に表示する画面図である。
【符号の説明】
【００９７】
１５  画像形成装置制御部
１００  スキャナ部
２００  プリンタ部
３００  課金装置
１５０  画像形成装置
３２０  課金装置制御部
３５０  非接触ＩＤカード
【図１】
2006163044.tif 000003
【図２】
2006163044.tif 000004
【図３】
2006163044.tif 000005
【図４】
2006163044.tif 000006
【図５】
2006163044.tif 000007
【図６】
2006163044.tif 000008
【図７】
2006163044.tif 000009
【図８】
2006163044.tif 000010
【図９】
2006163044.tif 000011
【図１０】
2006163044.tif 000012